(57)【要約】      （修正有）【課題】壁面を迅速にかつ安価にしかも堅固に構築することが可能な壁面構築方法、および、安価で堅固な壁面構造を提供する。【解決手段】３段目のパネル２の背面に形成される下層の層３ｂ上の空間に、層３ｂに下端側が固定された第２の補強鉄筋１１２の余剰部分１１ａを残す高さで、３層目の層３ｃが上層として形成される。次に、層３ｃが固化する前に、新たな下層となる４層目の層３ｄの表面に余剰部分１１ａを突出することとなる新たな補強鉄筋１１３の下端側部分が、層３ｃ中に埋設される。３層目の層３ｃが上層として打設された翌日、次に、層３ｃの前面を覆う３段目のパネル２の上に、次段の４段目のパネル２が積み上げられる。次に、４段目のパネル２の背面の寸切りボルト７と、層３ｃの表面に突出する第２の補強鉄筋１１２の余剰部分１１ａとの間に転倒防止部材４が設けられ、４段目のパネル２の転倒が防止される。【選択図】図２
2020090865.tif 000002
【特許請求の範囲】
【請求項１】
転倒防止部材によって転倒を防止したパネルの背面にコンクリートを打設する工程を繰り返し行って、パネルを積み上げながらパネルの背面に順次裏込めコンクリートを複数層形成して壁面を構築する壁面構築方法において、
２層分の裏込めコンクリートより所定長の余剰部分だけ長い長さの補強鉄筋の、下層の裏込めコンクリートの表面から突出する前記余剰部分に一端を固定した転倒防止部材によって転倒を防止して、下層の裏込めコンクリートの前面を覆うパネル上に次段のパネルを積み上げる工程と、
前記下層の裏込めコンクリート上にコンクリートを打設して前記次段のパネルの背後に形成される上層の裏込めコンクリート中に、前記下層の裏込めコンクリートに下端側が埋設された第２の前記補強鉄筋の上端側を前記余剰部分を残して埋設する工程と、
前記上層の裏込めコンクリートが固化する前に、新たな前記下層の裏込めコンクリートの表面に前記余剰部分を突出することとなる新たな前記補強鉄筋の下端側を前記上層の裏込めコンクリートに埋設する工程と、
固化した前記下層の裏込めコンクリートに下端側が埋設されて固定され、前記上層の裏込めコンクリートの表面に突出する第２の前記補強鉄筋の前記余剰部分に一端を固定した転倒防止部材によって転倒を防止して、前記上層の裏込めコンクリートの前面を覆う前記次段のパネル上に次々段のパネルを積み上げる工程と、
前記上層の裏込めコンクリート上にコンクリートを打設して前記次々段のパネルの背後に形成される新たな前記下層の裏込めコンクリート中に、前記上層の裏込めコンクリートに下端側が固定された新たな前記補強鉄筋の上端側を前記余剰部分を残して埋設する工程と
を備えることを特徴とする壁面構築方法。
【請求項２】
転倒防止部材によって転倒を防止したパネルの背面にコンクリートを打設する工程を繰り返し行って、パネルを積み上げながらパネルの背面に順次裏込めコンクリートを複数層形成して壁面を構築する壁面構築方法において、
２層分の裏込めコンクリートより所定長の余剰部分だけ長い長さの補強鉄筋の、下層の裏込めコンクリートの表面から突出する前記余剰部分に一端を固定した転倒防止部材によって転倒を防止して、下層の裏込めコンクリートの前面を覆うパネル上に次段のパネルを積み上げる工程と、
前記下層の裏込めコンクリートに下端側が埋設された第２の前記補強鉄筋の上端側に、新たな前記下層の裏込めコンクリートの表面に前記余剰部分を突出することとなる新たな前記補強鉄筋の下端側を固定する工程と、
前記下層の裏込めコンクリート上にコンクリートを打設して前記次段のパネルの背後に形成される上層の裏込めコンクリート中に、新たな前記補強鉄筋の下端側と共に、第２の前記補強鉄筋の上端側を前記余剰部分を残して埋設する工程と、
固化した前記下層の裏込めコンクリートに下端側が埋設されて固定され、前記上層の裏込めコンクリートの表面に突出する第２の前記補強鉄筋の前記余剰部分に一端を固定した転倒防止部材によって転倒を防止して、前記上層の裏込めコンクリートの前面を覆う前記次段のパネル上に次々段のパネルを積み上げる工程と、
前記上層の裏込めコンクリートに下端側が埋設された新たな前記補強鉄筋の上端側に、新たな前記上層の裏込めコンクリートに上端側が埋設されることとなる新たな第２の前記補強鉄筋の下端側を固定する工程と、
前記上層の裏込めコンクリート上にコンクリートを打設して前記次々段のパネルの背後に形成される新たな前記下層の裏込めコンクリート中に、新たな第２の前記補強鉄筋の下端側と共に、前記上層の裏込めコンクリートに下端側が固定された新たな前記補強鉄筋の上端側を前記余剰部分を残して埋設する工程と
を備えることを特徴とする壁面構築方法。
【請求項３】
パネルを積み上げる前記工程は、
下段のパネルに設けられた連結部材の下段のパネルから突出した端部が上段のパネルの背面に当接して上段のパネルの背面を押さえることで、上段のパネルの壁面背面側へ倒れる力を受け、上段のパネルに設けられた連結部材の上段のパネルから突出した端部が下段のパネルの背面に当接して下段のパネルの背面を押さえることで、上段のパネルの下部が壁面表面側へ迫り出すのを止めて、上段のパネルを下段のパネル上に自立させてから、
前記余剰部分に転倒防止部材の一端を固定して、下段のパネル上の次段の上段のパネルが転倒するのを転倒防止部材によって防止する
ことを特徴とする請求項１または請求項２に記載の壁面構築方法。
【請求項４】
転倒防止部材によって転倒がそれぞれ防止されて多段に積み上げられた複数のパネルと、各パネルの背面にコンクリートが打設されて複数層に形成される裏込めコンクリートとから構成される壁面構造において、
２層分の裏込めコンクリートより所定長の余剰部分だけ長い長さを有し、下端側が下層の裏込めコンクリートに固定され、上端側が上層の裏込めコンクリートの表面に前記余剰部分を突出させて固定されて、上方に設けられるものの前記下端側および下方に設けられるものの前記上端側が最下層および最上層を除く裏込めコンクリートの各層に重複して配される複数の補強鉄筋を備え、
前記余剰部分に、前記余剰部分が突出する裏込めコンクリートの層の前面を覆うパネルの上段に積まれるパネルの転倒を防止する前記転倒防止部材の一端が固定される
ことを特徴とする壁面構造。
【請求項５】
下段のパネルから突出した端部が上段のパネルの背面に当接して上段のパネルの背面を押さえることで、上段のパネルの壁面背面側へ倒れる力を受ける、下段のパネルに設けられた連結部材と、
上段のパネルから突出した端部が下段のパネルの背面に当接して下段のパネルの背面を押さえることで、上段のパネルの下部が壁面表面側へ迫り出すのを止めて、上段のパネルを下段のパネル上に自立させる、上段のパネルに設けられた連結部材と
を備えることを特徴とする請求項４に記載の壁面構造。
【発明の詳細な説明】
【技術分野】
【０００１】
本発明は、パネルを積み上げながらパネルの背面に順次裏込めコンクリートを複数層形成して壁面を構築する壁面構築方法および壁面構造に関するものである。
【背景技術】
【０００２】
従来、この種の壁面構築方法および壁面構造としては、例えば、特許文献１に開示された擁壁ブロックの施工方法および施工構造がある。
【０００３】
この施工方法では、まず、擁壁法面側に第１擁壁ブロックを立てて、裏型枠と第１擁壁ブロックとの中間に胴込めコンクリートが打設される。次に、胴込めコンクリートが固化しない間にその胴込めコンクリート内に支持鉄筋が差し込まれて、胴込めコンクリートが固化される。次に、予め裏面側に固定受け鉄筋を突設させた第２擁壁ブロックが第１擁壁ブロック上に立てられる。次に、第２擁壁ブロックが所定の勾配に設定されて、支持鉄筋と固定受け鉄筋とが連結部材を介して溶接固定される。次に、裏型枠と第２擁壁ブロックとの中間に胴込めコンクリートが打設される。その後、同様の工程が繰り返されて、第１擁壁ブロック上に第２擁壁ブロックが順に立てられて、擁壁が構築される。
【先行技術文献】
【特許文献】
【０００４】
【特許文献１】特開２００２−１０５９７２号公報
【発明の概要】
【発明が解決しようとする課題】
【０００５】
しかしながら、特許文献１に開示された上記従来の擁壁ブロックの施工方法では、第１擁壁ブロックの背後に打設される胴込めコンクリートが固化しない間に支持鉄筋を差し込み、差し込んでから、その胴込めコンクリートが固化するまで待つ養生時間が必要とされる。この養生時間は、胴込めコンクリートに差し込まれた支持鉄筋が、第２擁壁ブロックの裏面側に突設された固定受け鉄筋に連結部材によって連結された後、第２擁壁ブロックの背後に打設される胴込めコンクリートの側圧によって擁壁の前面側へ付勢される第２擁壁ブロックから連結部材を介して支持鉄筋にかかる引張り力に支持鉄筋が耐えられる強度にまで、第１擁壁ブロックの背後に打設される胴込めコンクリートが固化する時間となる。一般的にこのような養生時間は１日程度は必要とされる。したがって、第１擁壁ブロック上に第２擁壁ブロックを積み上げて、１段の擁壁ブロック層を構築するには、少なくとも１日は必要とされ、次段の擁壁ブロックを形成する胴込めコンクリートを打設するのは翌々日となる。このため、従来の壁面構築方法によっては、擁壁ブロックを多段に積み上げて壁面を完成させるまでに、多くの日数がかかってしまう。
【０００６】
また、従来の壁面構築方法および壁面構造では、擁壁ブロックの転倒を防止するために、１つの擁壁ブロック毎に複数の支持鉄筋が必要とされる。したがって、壁面全体に使われる支持鉄筋の数は膨大になる。このため、従来の壁面構築方法および壁面構造によっては、支持鉄筋の材料費がかさんでしまう。
【０００７】
また、従来の壁面構築方法および壁面構造では、各擁壁ブロック層を形成する胴込めコンクリートは単に打ち重ねられた構造をしている。このため、擁壁等では、胴込めコンクリートの打ち継ぎ境界面の、背後の土圧に対抗する強度が低いため、胴込めコンクリートの打ち継ぎ部に上下の胴込めコンクリート間の一体性を向上させる処理、例えば、上下の胴込めコンクリートにわたって補強鉄筋を設ける処理などが必要になる。
【課題を解決するための手段】
【０００８】
本発明はこのような課題を解決するためになされたもので、
転倒防止部材によって転倒を防止したパネルの背面にコンクリートを打設する工程を繰り返し行って、パネルを積み上げながらパネルの背面に順次裏込めコンクリートを複数層形成して壁面を構築する壁面構築方法において、
２層分の裏込めコンクリートより所定長の余剰部分だけ長い長さの補強鉄筋の、下層の裏込めコンクリートの表面から突出する余剰部分に一端を固定した転倒防止部材によって転倒を防止して、下層の裏込めコンクリートの前面を覆うパネル上に次段のパネルを積み上げる工程と、
下層の裏込めコンクリート上にコンクリートを打設して次段のパネルの背後に形成される上層の裏込めコンクリート中に、下層の裏込めコンクリートに下端側が埋設された第２の補強鉄筋の上端側を余剰部分を残して埋設する工程と、
上層の裏込めコンクリートが固化する前に、新たな下層の裏込めコンクリートの表面に余剰部分を突出することとなる新たな補強鉄筋の下端側を上層の裏込めコンクリートに埋設する工程と、
固化した下層の裏込めコンクリートに下端側が埋設されて固定され、上層の裏込めコンクリートの表面に突出する第２の補強鉄筋の余剰部分に一端を固定した転倒防止部材によって転倒を防止して、上層の裏込めコンクリートの前面を覆う次段のパネル上に次々段のパネルを積み上げる工程と、
上層の裏込めコンクリート上にコンクリートを打設して次々段のパネルの背後に形成される新たな下層の裏込めコンクリート中に、上層の裏込めコンクリートに下端側が固定された新たな補強鉄筋の上端側を余剰部分を残して埋設する工程と
を備えることを特徴とする。
【０００９】
本構成によれば、下層の裏込めコンクリート上に上層の裏込めコンクリートが打設され、上層の裏込めコンクリート上に新たな下層の裏込めコンクリート、新たな下層の裏込めコンクリート上に新たな上層の裏込めコンクリートが打設されて行くことで、多段に積み上げられるパネルの背後に複数層の裏込めコンクリートが形成される。
【００１０】
下層の裏込めコンクリートの前面を覆うパネル上に次段のパネルを積み上げる際、次段のパネルは、補強鉄筋の、下層の裏込めコンクリートの表面から突出する余剰部分に一端を固定した転倒防止部材により、転倒が防止される。補強鉄筋は、２層分の裏込めコンクリートより所定長の余剰部分だけ長い長さを有するため、下層の裏込めコンクリートの表面に余剰部分を突出させる補強鉄筋は、下層の裏込めコンクリートに上端側、下層の裏込めコンクリートのさらに下層にある古い上層の裏込めコンクリートに下端側が埋設されている。したがって、下層の裏込めコンクリートの表面に余剰部分を突出させる補強鉄筋は、下端側が、古い上層の裏込めコンクリートに埋設されて、次段のパネルから転倒防止部材を介して余剰部分にかかる引張り力に耐えられる強度にまで、古い上層の裏込めコンクリートによって固定されている。このため、下層の裏込めコンクリートの前面を覆うパネル上に積み上げる次段のパネルの転倒を防止する際、下層の裏込めコンクリートの固化を待つ必要なく、下層の裏込めコンクリートの打設後直ちに、下層の裏込めコンクリートの表面から突出する余剰部分に転倒防止部材の一端を固定して、転倒防止部材によって次段のパネルの転倒を防止することもできる。
【００１１】
ただし、下層の裏込めコンクリートの打設後直ちに、下層の裏込めコンクリート上に上層の裏込めコンクリートを打設すると、補強鉄筋の強度が弱い場合には、下層の裏込めコンクリートに埋設される補強鉄筋の上端側は、上層の裏込めコンクリートの側圧によって壁面前面側に付勢される次段のパネルから転倒防止部材を介してかかる引張り力によって変形する可能性もある。しかし、下層の裏込めコンクリートを打設して、補強鉄筋の上端側を埋設する下層の裏込めコンクリートが補強鉄筋の上端側が変形しない程度に固化した翌日には、その引張り力に下層の裏込めコンクリートが対抗できるようになり、補強鉄筋の余剰部分が表面から突出する下層の裏込めコンクリート上に上層の裏込めコンクリートを打設することが可能になる。つまり、従来のように、胴込めコンクリートを打設した翌日に、支持鉄筋が差し込まれたこの胴込めコンクリートの養生時間を設ける必要がなくなる。この結果、パネルの転倒を転倒防止部材によって防止しながら、パネルの背後に裏込めコンクリートを連日打設して、パネルを多段に積み上げ、壁面を迅速に構築することが可能になる。
【００１２】
また、補強鉄筋の余剰部分が転倒防止部材のアンカーとなって従来の支持鉄筋として使われるため、従来の支持鉄筋は不要になる。このため、壁面構築に必要とされる部材が減ると共に、補強鉄筋の施工とは別に支持鉄筋の施工をする工程が削減され、材料費および施工費の両観点から安価に壁面を構築することができる。
【００１３】
また、１本の補強鉄筋が裏込めコンクリートの下層および上層にわたって埋設され、上方に設けられる補強鉄筋の下端側および下方に設けられる補強鉄筋の上端側が裏込めコンクリートの各層に重複する。したがって、補強鉄筋の余剰部分によって支持鉄筋を構成しながら、余剰部分以外の補強鉄筋の残余の部分によって裏込めコンクリートの一体化が図れる。また、裏込めコンクリートの打ち継ぎ境界面に補強鉄筋の余剰部分が介在するため、この余剰部分も裏込めコンクリートの一体化に寄与する。また、転倒防止部材を補強鉄筋に固定するための溶接は余剰部分に対して行われ、余剰部分以外の補強鉄筋の、裏込めコンクリートと共に構造体を構成する残余の部分にこの溶接の影響は及ばない。このため、安価で堅固な壁面を迅速に構築することができる。
【００１４】
また、本発明は、
転倒防止部材によって転倒を防止したパネルの背面にコンクリートを打設する工程を繰り返し行って、パネルを積み上げながらパネルの背面に順次裏込めコンクリートを複数層形成して壁面を構築する壁面構築方法において、
２層分の裏込めコンクリートより所定長の余剰部分だけ長い長さの補強鉄筋の、下層の裏込めコンクリートの表面から突出する余剰部分に一端を固定した転倒防止部材によって転倒を防止して、下層の裏込めコンクリートの前面を覆うパネル上に次段のパネルを積み上げる工程と、
下層の裏込めコンクリートに下端側が埋設された第２の補強鉄筋の上端側に、新たな下層の裏込めコンクリートの表面に余剰部分を突出することとなる新たな補強鉄筋の下端側を固定する工程と、
下層の裏込めコンクリート上にコンクリートを打設して次段のパネルの背後に形成される上層の裏込めコンクリート中に、新たな補強鉄筋の下端側と共に、第２の補強鉄筋の上端側を余剰部分を残して埋設する工程と、
固化した下層の裏込めコンクリートに下端側が埋設されて固定され、上層の裏込めコンクリートの表面に突出する第２の補強鉄筋の余剰部分に一端を固定した転倒防止部材によって転倒を防止して、上層の裏込めコンクリートの前面を覆う次段のパネル上に次々段のパネルを積み上げる工程と、
上層の裏込めコンクリートに下端側が埋設された新たな補強鉄筋の上端側に、新たな上層の裏込めコンクリートに上端側が埋設されることとなる新たな第２の補強鉄筋の下端側を固定する工程と、
上層の裏込めコンクリート上にコンクリートを打設して次々段のパネルの背後に形成される新たな下層の裏込めコンクリート中に、新たな第２の補強鉄筋の下端側と共に、上層の裏込めコンクリートに下端側が固定された新たな補強鉄筋の上端側を余剰部分を残して埋設する工程と
を備えることを特徴とする。
【００１５】
本構成によれば、下層の裏込めコンクリートの前面を覆うパネル上に積み上げられる次段のパネルは、下層の裏込めコンクリートの表面に突出する補強鉄筋の余剰部分に一端が固定された転倒防止部材によって転倒が防止されると共に、下層の裏込めコンクリートに下端側が埋設された第２の補強鉄筋の上端側に、新たな下層の裏込めコンクリートの表面に余剰部分を突出することとなる新たな補強鉄筋の下端側が固定されてから、背後にコンクリートが打設される。したがって、新たに設けられる補強鉄筋の下端側は、下層の裏込めコンクリート上に上層の裏込めコンクリートが打設される前に配置されてから、上層の裏込めコンクリートに埋設されて本固定される。
【００１６】
壁面の背面側に作業スペースを確保できる現場では、下層の裏込めコンクリート上に上層の裏込めコンクリートを打設して、壁面の背後側の地山等から、上層の裏込めコンクリートが固化する前に、新たに設けられる補強鉄筋の下端側を上層の裏込めコンクリートに埋設させることができる。しかし、壁面の背面側に作業スペースを確保できない現場では、壁面の背後側から、固化する前の上層の裏込めコンクリートに新たに設けられる補強鉄筋の下端側を埋設させることはやり難く、壁面の前面側に足場を組んで、壁面前面側の足場上から補強鉄筋の下端側を埋設させる等の作業が必要になる。しかしながら、本構成によれば、前日の打設である程度固化した下層の裏込めコンクリートに作業者が乗って、上層の裏込めコンクリートが打設されることとなる空間に、新たに設けられる補強鉄筋の下端側を予め配置することができる。このため、壁面の前面側に足場を組んだりする作業等を行うことなく、壁面を構築する現場に応じて、最適な壁面構築方法を選択することができる。
【００１７】
また、本構成によっても、下層の裏込めコンクリートを打設して、補強鉄筋の上端側を埋設する下層の裏込めコンクリートが補強鉄筋の上端側が変形しない程度に固化した翌日には、補強鉄筋の余剰部分が表面から突出する下層の裏込めコンクリート上に上層の裏込めコンクリートを打設することが可能になり、従来の養生時間を設ける必要はない。また、本構成でも、従来の支持鉄筋は不要になるため、壁面構築に必要とされる部材が減ると共に、補強鉄筋の施工とは別に支持鉄筋の施工をする工程が削減される。また、補強鉄筋の余剰部分によって支持鉄筋を構成しながら、余剰部分以外の補強鉄筋の残余の部分によって裏込めコンクリートの一体化が図れる。この結果、壁面を迅速にかつ安価にしかも堅固に構築することが可能な壁面構築方法を、壁面の各施工現場に合った方法で提供することが可能になる。
【００１８】
また、本発明は、パネルを積み上げる前記工程が、
下段のパネルに設けられた連結部材の下段のパネルから突出した端部が上段のパネルの背面に当接して上段のパネルの背面を押さえることで、上段のパネルの壁面背面側へ倒れる力を受け、上段のパネルに設けられた連結部材の上段のパネルから突出した端部が下段のパネルの背面に当接して下段のパネルの背面を押さえることで、上段のパネルの下部が壁面表面側へ迫り出すのを止めて、上段のパネルを下段のパネル上に自立させてから、
補強鉄筋の余剰部分に転倒防止部材の一端を固定して、下段のパネル上の次段の上段のパネルが転倒するのを転倒防止部材によって防止する
ことを特徴とする。
【００１９】
本構成によれば、下段および上段のパネルの双方から突出して各パネルに設けられた連結部材の端部が隣接するパネルの背面を押さえることにより、上下のパネルを壁面の敷設延長方向における所望の位置で支え合わせて、自立させることができる。したがって、パネルを支える仮設サポート材などを設けることなくパネルを自立させて、作業効率よく、補強鉄筋の余剰部分とパネルとの間に転倒防止部材を設けて、パネルの転倒を防止することができる。このため、壁面をより迅速に構築することが可能になる。
【００２０】
また、本発明は、
転倒防止部材によって転倒がそれぞれ防止されて多段に積み上げられた複数のパネルと、各パネルの背面にコンクリートが打設されて複数層に形成される裏込めコンクリートとから構成される壁面構造において、
２層分の裏込めコンクリートより所定長の余剰部分だけ長い長さを有し、下端側が下層の裏込めコンクリートに固定され、上端側が上層の裏込めコンクリートの表面に余剰部分を突出させて固定されて、上方に設けられるものの下端側および下方に設けられるものの上端側が最下層および最上層を除く裏込めコンクリートの各層に重複して配される複数の補強鉄筋を備え、
余剰部分に、余剰部分が突出する裏込めコンクリートの層の前面を覆うパネルの上段に積まれるパネルの転倒を防止する転倒防止部材の一端が固定される
ことを特徴とする。
【００２１】
本構成によれば、補強鉄筋の余剰部分が転倒防止部材のアンカーとなって従来の支持鉄筋として使われるため、従来の支持鉄筋は不要になる。このため、壁面構築に必要とされる部材が減り、材料費の観点から安価に壁面を構築することができる。また、１本の補強鉄筋が裏込めコンクリートの下層および上層にわたって埋設され、上方に設けられる補強鉄筋の下端側および下方に設けられる補強鉄筋の上端側が裏込めコンクリートの各層に重複する。したがって、補強鉄筋の余剰部分によって支持鉄筋を構成しながら、余剰部分以外の補強鉄筋の残余の部分によって裏込めコンクリートの一体化が図れる。また、裏込めコンクリートの打ち継ぎ面に補強鉄筋の余剰部分が介在するため、この余剰部分も裏込めコンクリートの一体化に寄与する。また、転倒防止部材を補強鉄筋に固定するための溶接は余剰部分に対して行われ、余剰部分以外の補強鉄筋の、裏込めコンクリートと共に構造体を構成する残余の部分にこの溶接の影響は及ばない。このため、安価で堅固な壁面構造を提供することができる。
【００２２】
また、本発明は、
下段のパネルから突出した端部が上段のパネルの背面に当接して上段のパネルの背面を押さえることで、上段のパネルの壁面背面側へ倒れる力を受ける、下段のパネルに設けられた連結部材と、
上段のパネルから突出した端部が下段のパネルの背面に当接して下段のパネルの背面を押さえることで、上段のパネルの下部が壁面表面側へ迫り出すのを止めて、上段のパネルを下段のパネル上に自立させる、上段のパネルに設けられた連結部材と
を備えて、壁面構造を構成した。
【００２３】
本構成によれば、下段および上段のパネルの双方から突出して各パネルに設けられた連結部材の端部が隣接するパネルの背面を押さえることにより、上下のパネルを壁面の敷設延長方向における所望の位置で支え合わせて、自立させることができる。したがって、パネルを支える仮設サポート材などを設けることなくパネルを自立させて、補強鉄筋の余剰部分とパネルとの間に転倒防止部材を設けて、パネルの転倒を防止することができる。このため、安価で堅固な壁面構造を効率的に構築することができる。
【発明の効果】
【００２４】
本発明によれば、壁面を迅速にかつ安価にしかも堅固に構築することが可能な壁面構築方法、および、安価で堅固な壁面構造を提供することができる。
【図面の簡単な説明】
【００２５】
【図１】（ａ）は、施工途中における本発明の一実施形態による壁面の構造を壁面裏側から見た斜視図、（ｂ）は、（ａ）に示す壁面における上側連結部材および下側連結部材を各パネル背面に固定する各寸切りボルトと各転倒防止部材との固定部分を一部拡大した一部拡大図、（ｃ）は、（ａ）に示す壁面における最下段のパネルの転倒を防止する転倒防止部材とアンカーボルトおよびアンカー鉄筋との固定部分を一部拡大した一部拡大図である。
【図２】一実施形態による壁面の断面図である。
【図３】本発明の他の実施形態による壁面構築方法によって構築される途中の壁面の第１の断面図である。
【図４】本発明の他の実施形態による壁面構築方法によって構築される途中の壁面の第２の断面図である。
【図５】本発明の他の実施形態による壁面構築方法によって構築される途中の壁面の第３の断面図である。
【図６】本発明の他の実施形態による壁面構築方法によって構築される途中の壁面の第４の断面図である。
【図７】本発明の他の実施形態による壁面構築方法によって構築される途中の壁面の第５の断面図である。
【発明を実施するための形態】
【００２６】
次に、本発明による壁面構築方法および壁面構造の一実施形態について説明する。
【００２７】
図１（ａ）は、施工途中における一実施形態による壁面１の構造を壁面裏側から見た斜視図である。同図では、一実施形態による壁面構築方法が理解しやすいように、図の左方から右方へ壁面１の施工順に壁面１が描かれており、裏込めコンクリート３の層３ａ，３ｂ，３ｃ…が３層目まで形成された状態を表わしている。図２は、施工途中における一実施形態による壁面１の構造の断面図である。同図では裏込めコンクリート３の層３ａ，３ｂ，３ｃ…が４層目の層３ｄまで形成された状態を表わしている。
【００２８】
壁面１は、多段に積み上げられた複数のパネル２と、各パネル２の背面にコンクリートが打設されて複数層に形成される裏込めコンクリート３とから構成される。各パネル２は、転倒防止部材４によって転倒がそれぞれ防止されている。
【００２９】
パネル２は、所定厚さの矩形状をしたコンクリートから成り、金属製の上側の連結部材（上側連結部材）５および下側の連結部材（下側連結部材）６が取り付けられて構成されている。これらの上側連結部材５および下側連結部材６は、図１（ａ）の中央上方に宙に浮かせて図示したように、パネル２の上端部および下端部の双方から外方に突出してパネル２に設けられている。図１（ｂ）にも一部拡大して示すように、上側連結部材５は、パネル２の背面上部に一端が固定され、他端が背面上部から上方に突出してパネル２に設けられている。下側連結部材６は、パネル２の背面下部に一端が固定され、他端が背面下部から下方に突出してパネル２に設けられている。
【００３０】
各連結部材５，６は、パネル２に止められる一端側およびその反対側の先端側の２箇所にそれぞれ穴が設けられている。一端側の一方の穴は、寸切りボルト７の外径より口径が大きく、先端側の他方の穴には直接雌ネジ溝が刻まれている。連結部材５，６の一方の穴に寸切りボルト７が差し込まれて、パネル２に埋め込まれたインサートナットに寸切りボルト７が螺合し、ナット８で締め付けることにより、連結部材５，６はパネル２の背面に固定されている。また、直接雌ネジ溝が刻まれた他方の穴には調整ボルト９が螺合している。
【００３１】
寸切りボルト７は、パネル２の背面から所定長突出するように長く形成されており、パネル２の背面の裏込めコンクリート３に埋設されることで、パネル２を裏込めコンクリート３に止めるアンカー材の役割を果たすと共に、転倒防止部材４の他端を後述するように固定する役割も果たす。調整ボルト９は、回転されることで、その先端が連結部材５，６からパネル２の前面側へ突出する長さが調整されて、連結部材５，６の先端とパネル２の背面との間に形成される隙間に介在して、パネル２の背面を支持する役割を果たす。
【００３２】
下段のパネル２に設けられた上側連結部材５は、下段のパネル２から突出した端部が上段のパネル２の背面に調整ボルト９を介して当接して上段のパネル２の背面を調整ボルト９を介して押さえることで、上段のパネル２の壁面背面側へ倒れる力を受ける。また、下側連結部材６は、上段のパネル２に設けられ、上段のパネル２から突出した端部が下段のパネル２の背面に調整ボルト９を介して当接して下段のパネル２の背面を調整ボルト９を介して押さえることで、上段のパネル２の下部が壁面表面側へ迫り出すのを止めて、上段のパネル２を下段のパネル２上に自立させる。
【００３３】
壁面１は、複数の補強鉄筋１１１，１１２，１１３，１１４，…を備える。以下、これらを総称して補強鉄筋１１と称する。補強鉄筋１１は、図２に示すように、２層分の裏込めコンクリート３の長さ２Ｌ１より所定長の余剰部分１１ａの長さＬ２だけ長い長さ（＝２Ｌ１＋Ｌ２）を有する。また、各補強鉄筋１１は、下端側が下層の裏込めコンクリート３に固定され、上端側が上層の裏込めコンクリート３の表面に余剰部分１１ａを突出させて固定される。したがって、上方に設けられる補強鉄筋１１の下端側および下方に設けられる補強鉄筋１１の上端側が最下層および最上層を除く裏込めコンクリート３の各層に重複して配される。転倒防止部材４は、その一端が補強鉄筋１１の余剰部分１１ａ、その他端が寸切りボルト７に溶接されて固定され、余剰部分１１ａが突出する裏込めコンクリート３の層の前面を覆うパネル２の上段に積まれるパネル２の転倒を防止する。
【００３４】
次に、このような構造をした壁面１の一実施形態による構築方法について、説明する。
【００３５】
壁面１は基礎ブロック１２の上方に構築される。基礎ブロック１２は、パネル２が設置される立脚部１２ａと、この立脚部１２ａを支える支持脚部１２ｂとから構成される。支持脚部１２ｂは、立脚部１２ａに交差する方向に延出している。支持脚部１２ｂの延出端における所定の位置には、アンカーボルト１３が立設されている。また、立脚部１２ａの上端の傾斜壁面には、パネル２の上端に設けられる上側連結部材５が設けられている。この上側連結部材５は、その一端が立脚部１２ａの傾斜壁面に寸切りボルト７によって取り付けられており、その先端が立脚部１２ａの上端から上方に突出している。なお、上側連結部材５は下側連結部材６と同じである。
【００３６】
壁面１の構築に際して、最初に、立脚部１２ａの上端に設けられた上側連結部材５と、最下段のパネル２の下端に設けられた下側連結部材６とにより、基礎ブロック１２の上方に最下段のパネル２が積み上げられる。この際、立脚部１２ａの上端に設けられた上側連結部材５の上方に突出した端部が最下段のパネル２の背面に調整ボルト９を介して当接して、最下段のパネル２の背面を押さえることで、最下段のパネル２の壁面背面側へ倒れる力が受けられる。また、最下段のパネル２に設けられた下側連結部材６の下方に突出した端部が立脚部１２ａの傾斜壁面に調整ボルト９を介して当接して、立脚部１２ａの傾斜壁面を押さえることで、最下段のパネル２の下部が壁面表面側へ迫り出すのが止められる。これにより、最下段のパネル２が基礎ブロック１２上に自立する。
【００３７】
次に、最下段のパネル２の背面に下側連結部材６を取り付ける寸切りボルト７と、基礎ブロック１２の支持脚部１２ｂに立設されたアンカーボルト１３との間、および、最下段のパネル２の背面に上側連結部材５を取り付ける寸切りボルト７と、基礎ブロック１２の支持脚部１２ｂに立設されたアンカーボルト１３との間に、それぞれ転倒防止部材４が設けられ、最下段のパネル２の転倒が防止される。この際、各転倒防止部材４は、その一端が、図１（ｃ）の一部拡大図に示すようにアンカーボルト１３と溶接され、その他端が、図１（ｂ）の一部拡大図に示すように寸切りボルト７と溶接される。
【００３８】
次に、図１（ｃ）の一部拡大図に示すように、アンカー鉄筋１４の一端がアンカーボルト１３に溶接される。アンカー鉄筋１４は、図２に示すように、１層分の裏込めコンクリート３の長さＬ１より所定長の余剰部分１４ａの長さＬ２だけ長い長さ（＝Ｌ１＋Ｌ２）を有する。次に、最下段のパネル２の背面と、図１（ａ）の左方に斜線を付して示す引き抜き型枠２０の前面との間に形成される空間に、アンカー鉄筋１４の余剰部分１４ａを残す高さにコンクリートが打設されて、裏込めコンクリート３の１層目の層３ａが形成される。なお、引き抜き型枠２０の背後には図示しない裏込め砕石等がある。この際、アンカー鉄筋１４は、層３ａの表面にその余剰部分１４ａを突出させて、長さＬ１の部分が層３ａに埋設される。次に、層３ａの裏込めコンクリート３が固化する前に、層３ｂの裏込めコンクリート３の表面に余剰部分１１ａを突出することとなる補強鉄筋１１１の長さＬ１の下端側部分が、層３ａの裏込めコンクリート３中に埋設される。次に、層３ａと裏込め砕石等との間にある引き抜き型枠２０が層３ａの背後から斜め上方に引き抜かれる。
【００３９】
裏込めコンクリート３の最下層の層３ａが打設された翌日、次に、最下段のパネル２の上端に設けられた上側連結部材５と、２段目のパネル２の下端に設けられた下側連結部材６とにより、１層目の層３ａの前面を覆う最下段のパネル２の上に、次段の２段目のパネル２が積み上げられる。この際、最下段のパネル２の上端に設けられた上側連結部材５の上方に突出した端部が２段目のパネル２の背面に調整ボルト９を介して当接して、２段目のパネル２の背面を押さえることで、２段目のパネル２の壁面背面側へ倒れる力が受けられる。また、２段目のパネル２に設けられた下側連結部材６の下方に突出した端部が最下段のパネル２の背面に調整ボルト９を介して当接して、最下段のパネル２の背面を押さえることで、２段目のパネル２の下部が壁面表面側へ迫り出すのが止められる。これにより、２段目のパネル２が最下段のパネル２上に自立する。
【００４０】
次に、２段目のパネル２の背面に下側連結部材６を取り付ける寸切りボルト７と、層３ａの表面に突出するアンカー鉄筋１４の余剰部分１４ａとの間、および、２段目のパネル２の背面に上側連結部材５を取り付ける寸切りボルト７と、層３ａの表面に突出するアンカー鉄筋１４の余剰部分１４ａとの間に、それぞれ転倒防止部材４が設けられ、２段目のパネル２の転倒が防止される。この際、各転倒防止部材４は、その一端がアンカー鉄筋１４の余剰部分１４ａと溶接され、その他端が、図１（ｂ）の一部拡大図に示すように寸切りボルト７と溶接される。
【００４１】
次に、引き抜かれた引き抜き型枠２０の下端が層３ａの背面上端と裏込め砕石等との間に僅かに差し込まれることで係止させられて、２段目のパネル２の背面に対向する裏込め砕石等の前面に引き抜き型枠２０が設置される。引き続いて、２段目のパネル２の背面と引き抜き型枠２０の前面との間に形成される層３ａ上の空間に、層３ａの裏込めコンクリート３に下端側が固定された補強鉄筋１１１の余剰部分１１ａを残す高さにコンクリートが打設されて、裏込めコンクリート３の２層目の層３ｂが下層として形成される。この際、補強鉄筋１１１は、層３ｂの表面にその余剰部分１１ａを突出させて、長さＬ１の上端側部分が層３ｂ中に埋設される。次に、層３ｂの裏込めコンクリート３が固化する前に、上層となる層３ｃの裏込めコンクリート３の表面に余剰部分１１ａを突出することとなる第２の補強鉄筋１１２の長さＬ１の下端側部分が、層３ｂの裏込めコンクリート３中に埋設される。次に、層３ｂと裏込め砕石等との間にある引き抜き型枠２０が層３ｂの背後から斜め上方に引き抜かれる。
【００４２】
裏込めコンクリート３の２層目の層３ｂが下層として打設された翌日、次に、２段目のパネル２の上端に設けられた上側連結部材５と、３段目のパネル２の下端に設けられた下側連結部材６とにより、２層目の層３ｂの前面を覆う２段目のパネル２の上に、次段の３段目のパネル２が積み上げられる。この際、２段目のパネル２の上端に設けられた上側連結部材５の上方に突出した端部が３段目のパネル２の背面に調整ボルト９を介して当接して、３段目のパネル２の背面を押さえることで、３段目のパネル２の壁面背面側へ倒れる力が受けられる。また、３段目のパネル２に設けられた下側連結部材６の下方に突出した端部が２段目のパネル２の背面に調整ボルト９を介して当接して、２段目のパネル２の背面を押さえることで、３段目のパネル２の下部が壁面表面側へ迫り出すのが止められる。これにより、３段目のパネル２が２段目のパネル２上に自立する。
【００４３】
次に、３段目のパネル２の背面に下側連結部材６を取り付ける寸切りボルト７と、層３ｂの表面に突出する補強鉄筋１１１の余剰部分１１ａとの間、および、３段目のパネル２の背面に上側連結部材５を取り付ける寸切りボルト７と、層３ｂの表面に突出する補強鉄筋１１１の余剰部分１１ａとの間に、それぞれ転倒防止部材４が設けられ、３段目のパネル２の転倒が防止される。この際、各転倒防止部材４は、その一端が補強鉄筋１１１の余剰部分１１ａと溶接され、その他端が寸切りボルト７と溶接される。
【００４４】
この結果、固化した最下層の層３ａの裏込めコンクリート３に下端側が埋設されて固定され、下層の層３ｂの裏込めコンクリート３の表面に突出する補強鉄筋１１１の余剰部分１１ａに一端を固定した転倒防止部材４によって転倒を防止して、下層の層３ｂの裏込めコンクリート３の前面を覆う次段の２段目のパネル２上に次々段の３段目のパネル２が積み上げられる。
【００４５】
次に、引き抜かれた引き抜き型枠２０の下端が層３ｂの背面上端と裏込め砕石等との間に僅かに差し込まれることで係止させられて、３段目のパネル２の背面に対向する裏込め砕石等の前面に引き抜き型枠２０が設置される。引き続いて、３段目のパネル２の背面と引き抜き型枠２０の前面との間に形成される層３ｂ上の空間に、層３ｂの裏込めコンクリート３に下端側が固定された第２の補強鉄筋１１２の余剰部分１１ａを残す高さにコンクリートが打設されて、裏込めコンクリート３の３層目の層３ｃが上層として形成される。この際、第２の補強鉄筋１１２は、層３ｃの表面にその余剰部分１１ａを突出させて、長さＬ１の上端側部分が層３ｃ中に埋設される。次に、上層としての層３ｃの裏込めコンクリート３が固化する前に、新たな下層となる４層目の層３ｄ（図２参照）の裏込めコンクリート３の表面に余剰部分１１ａを突出することとなる、新たな補強鉄筋１１３の長さＬ１の下端側部分が、層３ｃの裏込めコンクリート３中に埋設される。次に、層３ｃと裏込め砕石等との間にある引き抜き型枠２０が層３ｃの背後から斜め上方に引き抜かれる。
【００４６】
裏込めコンクリート３の３層目の層３ｃが上層として打設された翌日、次に、３段目のパネル２の上端に設けられた上側連結部材５と、４段目のパネル２の下端に設けられた下側連結部材６とにより、３層目の層３ｃの前面を覆う３段目のパネル２の上に、次段の４段目のパネル２が積み上げられる。この際、３段目のパネル２の上端に設けられた上側連結部材５の上方に突出した端部が４段目のパネル２の背面に調整ボルト９を介して当接して、４段目のパネル２の背面を押さえることで、４段目のパネル２の壁面背面側へ倒れる力が受けられる。また、４段目のパネル２に設けられた下側連結部材６の下方に突出した端部が３段目のパネル２の背面に調整ボルト９を介して当接して、３段目のパネル２の背面を押さえることで、４段目のパネル２の下部が壁面表面側へ迫り出すのが止められる。これにより、４段目のパネル２が３段目のパネル２上に自立する。
【００４７】
次に、４段目のパネル２の背面に下側連結部材６を取り付ける寸切りボルト７と、層３ｃの表面に突出する第２の補強鉄筋１１２の余剰部分１１ａとの間、および、４段目のパネル２の背面に上側連結部材５を取り付ける寸切りボルト７と、層３ｃの表面に突出する第２の補強鉄筋１１２の余剰部分１１ａとの間に、それぞれ転倒防止部材４が設けられ、４段目のパネル２の転倒が防止される。この際、各転倒防止部材４は、その一端が第２の補強鉄筋１１２の余剰部分１１ａと溶接され、その他端が寸切りボルト７と溶接される。
【００４８】
この結果、固化した下層の層３ｂの裏込めコンクリート３に下端側が埋設されて固定され、上層の層３ｃの裏込めコンクリート３の表面に突出する第２の補強鉄筋２の余剰部分１１ａに一端を固定した転倒防止部材４によって転倒を防止して、上層の層３ｃの裏込めコンクリート３の前面を覆う次段の３段目のパネル２上に次々段の４段目のパネル２が積み上げられる。
【００４９】
次に、引き抜かれた引き抜き型枠２０の下端が層３ｃの背面上端と裏込め砕石等との間に僅かに差し込まれることで係止させられて、４段目のパネル２の背面に対向する裏込め砕石等の前面に引き抜き型枠２０が設置される。引き続いて、４段目のパネル２の背面と引き抜き型枠２０の前面との間に形成される層３ｃ上の空間に、層３ｃの裏込めコンクリート３に下端側が固定された新たな補強鉄筋１１３の余剰部分１１ａを残す高さにコンクリートが打設されて、裏込めコンクリート３の４層目の層３ｄが新たな下層として形成される。この際、新たな補強鉄筋１１３は、図２に示すように、層３ｄの表面にその余剰部分１１ａを突出させて、長さＬ１の上端側部分が層３ｄ中に埋設される。次に、新たな下層としての層３ｄの裏込めコンクリート３が固化する前に、新たな上層となる５層目の図示しない層の裏込めコンクリート３の表面に余剰部分１１ａを突出することとなる、図示しない新たな第２の補強鉄筋１１の長さＬ１の下端側部分が、層３ｄの裏込めコンクリート３中に埋設される。次に、層３ｄと裏込め砕石等との間にある引き抜き型枠２０が層３ｄの背後から斜め上方に引き抜かれる。
【００５０】
以後、同様な工程が繰り返されて、多段に積み上げられるパネル２の背後に複数層の裏込めコンクリート３が形成され、壁面１が構築される。
【００５１】
このような本実施形態による壁面構築方法によれば、下層の裏込めコンクリート３の前面を覆うパネル２上に次段のパネル２を積み上げる際、次段のパネル２は、補強鉄筋１１の、下層の裏込めコンクリート３の表面から突出する余剰部分１１ａに一端を固定した転倒防止部材４により、転倒が防止される。補強鉄筋１１は、２層分の裏込めコンクリート３の長さ２Ｌ１より所定長の余剰部分１１ａの長さＬ２だけ長い長さを有するため、下層の裏込めコンクリート３の表面に余剰部分１１ａを突出させる補強鉄筋１１は、下層の裏込めコンクリート３に上端側、下層の裏込めコンクリート３のさらに下層にある、前日に打設された古い上層の裏込めコンクリート３に下端側が埋設されている。したがって、下層の裏込めコンクリート３の表面に余剰部分１１ａを突出させる補強鉄筋１１は、下端側が、古い上層の裏込めコンクリート３に埋設されて、次段のパネル２から転倒防止部材４を介して余剰部分１１ａにかかる引張り力に耐えられる強度にまで、古い上層の裏込めコンクリート３によって固定されている。このため、下層の裏込めコンクリート３の前面を覆うパネル２上に積み上げる次段のパネル２の転倒を防止する際、下層の裏込めコンクリート３の固化を待つ必要なく、下層の裏込めコンクリート３の打設後直ちに、下層の裏込めコンクリート３の表面から突出する余剰部分１１ａに転倒防止部材４の一端を固定して、転倒防止部材４によって次段のパネル２の転倒を防止することもできる。
【００５２】
ただし、下層の裏込めコンクリート３の打設後直ちに、下層の裏込めコンクリート３上に上層の裏込めコンクリート３を打設すると、補強鉄筋１１が例えば本実施形態のように細長くてその強度が弱い場合には、下層の裏込めコンクリート３に埋設される補強鉄筋３の上端側は、上層の裏込めコンクリート３の側圧によって壁面前面側に付勢される次段のパネル２から転倒防止部材４を介してかかる引張り力によって変形する可能性もある。しかし、上述した本実施形態のように、下層の裏込めコンクリート３を打設して、補強鉄筋１１の上端側を埋設する下層の裏込めコンクリート３が、補強鉄筋１１の上端側が変形しない程度に固化した翌日には、その引張り力に下層の裏込めコンクリート３が対抗できるようになり、補強鉄筋１１の余剰部分１１ａが表面から突出する下層の裏込めコンクリート３上に上層の裏込めコンクリート３を打設することが可能になる。つまり、従来のように、胴込めコンクリートを打設した翌日に、支持鉄筋が差し込まれたこの胴込めコンクリートの養生時間を設ける必要がなくなる。この結果、パネル２の転倒を転倒防止部材４によって防止しながら、パネル２の背後に裏込めコンクリート３を連日打設して、パネル２を多段に積み上げ、壁面１を迅速に構築することが可能になる。
【００５３】
また、補強鉄筋１１の余剰部分１１ａが転倒防止部材４のアンカーとなって従来の支持鉄筋として使われるため、従来の支持鉄筋は不要になる。このため、壁面構築に必要とされる部材が減ると共に、補強鉄筋１１の施工とは別に支持鉄筋の施工をする工程が削減され、材料費および施工費の両観点から安価に壁面１を構築することができる。
【００５４】
また、１本の補強鉄筋１１が裏込めコンクリート３の下層および上層にわたって埋設され、上方に設けられる補強鉄筋１１の下端側および下方に設けられる補強鉄筋１１の上端側が裏込めコンクリート３の各層に重複する。したがって、補強鉄筋１１の余剰部分１１ａによって支持鉄筋を構成しながら、余剰部分１１ａ以外の補強鉄筋１１の残余の部分によって裏込めコンクリート３の一体化が図れる。また、裏込めコンクリート３の打ち継ぎ境界面に補強鉄筋１１の余剰部分１１ａが介在するため、この余剰部分１１ａも裏込めコンクリート３の一体化に寄与する。また、転倒防止部材４を補強鉄筋１１に固定するための溶接は余剰部分１１ａに対して行われ、余剰部分１１ａ以外の補強鉄筋１１の、裏込めコンクリート３と共に構造体を構成する残余の部分にこの溶接の影響は及ばない。このため、安価で堅固な壁面１を迅速に構築することができる。
【００５５】
また、本実施形態による壁面構築方法によれば、下段および上段のパネル２の双方から突出して各パネル２に設けられた連結部材５，６の端部が隣接するパネル２の背面を押さえることにより、上下のパネル２を壁面１の敷設延長方向における所望の位置で支え合わせて、自立させることができる。したがって、パネル２を支える仮設サポート材などを設けることなくパネル２を自立させて、作業効率よく、補強鉄筋１１の余剰部分１１ａとパネル２との間に転倒防止部材４を設けて、パネル２の転倒を防止することができる。このため、本実施形態による壁面構築方法によれば、壁面１をより迅速に構築することが可能になる。
【００５６】
また、本実施形態による壁面１の構造によれば、上記のように、補強鉄筋１１の余剰部分１１ａが転倒防止部材４のアンカーとなって従来の支持鉄筋として使われるため、従来の支持鉄筋は不要になる。このため、壁面構築に必要とされる部材が減り、材料費の観点から安価に壁面１を構築することができる。また、上記のように、１本の補強鉄筋１１が裏込めコンクリート３の下層および上層にわたって埋設され、上方に設けられる補強鉄筋１１の下端側および下方に設けられる補強鉄筋１１の上端側が裏込めコンクリート３の各層に重複する。したがって、補強鉄筋１１の余剰部分１１ａによって支持鉄筋を構成しながら、余剰部分１１ａ以外の補強鉄筋１１の残余の部分によって裏込めコンクリート３の一体化が図れる。また、上記のように、裏込めコンクリート３の打ち継ぎ面に補強鉄筋１１の余剰部分１１ａが介在するため、この余剰部分１１ａも裏込めコンクリート３の一体化に寄与する。また、転倒防止部材４を補強鉄筋１１に固定するための溶接は余剰部分１１ａに対して行われ、余剰部分１１ａ以外の補強鉄筋１１の、裏込めコンクリート３と共に構造体を構成する残余の部分にこの溶接の影響は及ばない。このため、安価で堅固な壁面１の構造を提供することができる。
【００５７】
また、本実施形態による壁面１の構造によれば、上記のように、下段および上段のパネル２の双方から突出して各パネル２に設けられた連結部材５，６の端部が隣接するパネル２の背面を押さえることにより、上下のパネル２を壁面１の敷設延長方向における所望の位置で支え合わせて、自立させることができる。したがって、パネル２を支える仮設サポート材などを設けることなくパネル２を自立させて、補強鉄筋１１の余剰部分１１ａとパネル２との間に転倒防止部材４を設けて、パネル２の転倒を防止することができる。このため、安価で堅固な壁面１の構造を効率的に構築することができる。
【００５８】
なお、上記の実施形態の説明では、補強鉄筋１１の下端側を裏込めコンクリート３へ埋設した後に、引き抜き型枠２０を引き抜く場合について説明したが、引き抜き型枠２０を引き抜いた後に、補強鉄筋１１の下端側を裏込めコンクリート３へ埋設するようにしてもよい。また、引き抜き型枠２０でなく、型枠を埋設したままにする埋設型枠を使用するようにしてもよい。
【００５９】
次に、本発明の他の実施形態による壁面構築方法について、図３〜図７に段階的に示す施工中における壁面１の断面図を参照して説明する。なお、図３〜図７において図２と同一または相当する部分には同一の符号を付してその説明は省略する。
【００６０】
この他の実施形態による壁面構築方法によっても、転倒防止部材４によって転倒を防止したパネル２の背面にコンクリートを打設する工程を繰り返し行って、パネル２を積み上げながらパネル２の背面に順次裏込めコンクリート３を複数層形成して、上記の実施形態による壁面構築方法によって構築される壁面１と同じ構造の壁面１が構築される。
【００６１】
この他の実施形態による壁面構築方法においては、最下段のパネル２の背面に連結される転倒防止部材４およびアンカー鉄筋１４の一端がアンカーボルト１３に溶接されて固定された後、図３に示すように、アンカー鉄筋１４と補強鉄筋１１１の下端側とが結束筋１５によって固定される。その後、アンカー鉄筋１４の余剰部分１４ａを残す高さまで最下段のパネル２の背面にコンクリートが打設されて、最下層の層３ａの裏込めコンクリート３が形成される。
【００６２】
最下層の層３ａの裏込めコンクリート３が打設された翌日、次に、図４に示すように、アンカー鉄筋１４の、最下層の層３ａの裏込めコンクリート３の表面から突出する余剰部分１４ａに一端を固定した転倒防止部材４によって転倒を防止して、最下層の層３ａの裏込めコンクリート３の前面を覆う最下段のパネル２上に次段の２段目のパネル２を積み上げる工程が行われる。
【００６３】
次に、最下層の層３ａの裏込めコンクリート３に下端側が埋設された補強鉄筋１１１の上端側に、上層の層３ｃの裏込めコンクリート３の表面に余剰部分１１ａを突出することとなる第２の補強鉄筋１１２の下端側が結束筋１５によって固定される。その後、補強鉄筋１１１の余剰部分１１ａを残す高さまで２段目のパネル２の背面にコンクリートが打設されて、下層の層３ｂの裏込めコンクリート３が形成される。この結果、次段の２段目のパネル２の背後に形成される下層の層３ｂの裏込めコンクリート３中に、第２の補強鉄筋１１２の下端側と共に、補強鉄筋１１１の上端側がその余剰部分１１ａを残して埋設されて本固定される。
【００６４】
下層の層３ｂの裏込めコンクリート３が打設された翌日、次に、図５に示すように、補強鉄筋１１１の、下層の層３ｂの裏込めコンクリート３の表面から突出する余剰部分１１ａに一端を固定した転倒防止部材４によって転倒を防止して、下層の層３ｂの裏込めコンクリート３の前面を覆う２段目のパネル２上に次段の３段目のパネル２を積み上げる工程が行われる。
【００６５】
次に、下層の層３ｂの裏込めコンクリート３に下端側が埋設された第２の補強鉄筋１１２の上端側に、新たな下層の層３ｄの裏込めコンクリート３の表面に余剰部分１１ａを突出することとなる新たな補強鉄筋１１３の下端側が結束筋１５によって固定される。その後、第２の補強鉄筋１１２の余剰部分１１ａを残す高さまで３段目のパネル２の背面にコンクリートが打設されて、上層の層３ｃの裏込めコンクリート３が形成される。この結果、次段の３段目のパネル２の背後に形成される上層の層３ｃの裏込めコンクリート３中に、新たな補強鉄筋１１３の下端側と共に、第２の補強鉄筋１１２の上端側がその余剰部分１１ａを残して埋設されて本固定される。
【００６６】
上層の層３ｃの裏込めコンクリート３が打設された翌日、次に、図６に示すように、第２の補強鉄筋１１２の、上層の層３ｃの裏込めコンクリート３の表面から突出する余剰部分１１ａに一端を固定した転倒防止部材４によって転倒を防止して、上層の層３ｃの裏込めコンクリート３の前面を覆う３段目のパネル２上に次段の４段目のパネル２を積み上げる工程が行われる。
【００６７】
次に、上層の層３ｃの裏込めコンクリート３に下端側が埋設された新たな補強鉄筋１１３の上端側に、図示しない新たな上層の裏込めコンクリート３の表面に余剰部分１１ａを突出することとなる新たな第２の補強鉄筋１１４の下端側が結束筋１５によって固定される。その後、新たな補強鉄筋１１３の余剰部分１１ａを残す高さまで４段目のパネル２の背面にコンクリートが打設されて、新たな下層の層３ｄの裏込めコンクリート３が形成される。この結果、次段の４段目のパネル２の背後に形成される新たな下層の層３ｄの裏込めコンクリート３中に、新たな第２の補強鉄筋１１４の下端側と共に、新たな補強鉄筋１１３の上端側がその余剰部分１１ａを残して埋設されて本固定される。
【００６８】
新たな下層の層３ｄの裏込めコンクリート３が打設された翌日、次に、図７に示すように、新たな補強鉄筋１１３の、新たな下層の層３ｄの裏込めコンクリート３の表面から突出する余剰部分１１ａに一端を固定した転倒防止部材４によって転倒を防止して、新たな下層の層３ｄの裏込めコンクリート３の前面を覆う４段目のパネル２上に次段の５段目のパネル２を積み上げる工程が行われる。
【００６９】
このような他の実施形態による壁面構築方法によれば、下層の裏込めコンクリート３の前面を覆うパネル２上に積み上げられる次段のパネル２は、下層の裏込めコンクリート３の表面に突出する補強鉄筋１１の余剰部分１１ａに一端が固定された転倒防止部材４によって転倒が防止されると共に、下層の裏込めコンクリート３に下端側が埋設された第２の補強鉄筋１１の上端側に、新たな下層の裏込めコンクリート３の表面に余剰部分１１ａを突出することとなる新たな補強鉄筋１１の下端側が固定されてから、背後にコンクリートが打設される。したがって、新たに設けられる補強鉄筋１１の下端側は、下層の裏込めコンクリート３上に上層の裏込めコンクリート３が打設される前に配置されてから、上層の裏込めコンクリート３に埋設されて本固定される。
【００７０】
壁面１の背面側に作業スペースを確保できる現場では、下層の裏込めコンクリート３上に上層の裏込めコンクリート３を打設して、壁面１の背後側の地山等から、上層の裏込めコンクリート３が固化する前に、新たに設けられる補強鉄筋１１の下端側を上層の裏込めコンクリート３に埋設させることができる。しかし、壁面１の背面側に作業スペースを確保できない現場では、壁面１の背後側から、固化する前の上層の裏込めコンクリート３に新たに設けられる補強鉄筋１１の下端側を埋設させることはやり難く、壁面１の前面側に足場を組んで、壁面前面側の足場上から補強鉄筋１１の下端側を埋設させる等の作業が必要になる。しかしながら、この他の実施形態による壁面構築方法によれば、前日の打設である程度固化した下層の裏込めコンクリート３に作業者が乗って、上層の裏込めコンクリート３が打設されることとなる空間に、新たに設けられる補強鉄筋１１の下端側を予め配置することができる。このため、壁面１の前面側に足場を組んだりする作業等を行うことなく、壁面１を構築する現場に応じて、最適な壁面構築方法を選択することができる。
【００７１】
また、この他の実施形態による壁面構築方法によっても、下層の裏込めコンクリート３を打設して、補強鉄筋１１の上端側を埋設する下層の裏込めコンクリート３が補強鉄筋１１の上端側が変形しない程度に固化した翌日には、補強鉄筋１１の余剰部分１１ａが表面から突出する下層の裏込めコンクリート３上に上層の裏込めコンクリート３を打設することが可能になり、従来の養生時間を設ける必要はない。また、この他の実施形態による壁面構築方法でも、従来の支持鉄筋は不要になるため、壁面構築に必要とされる部材が減ると共に、補強鉄筋１１の施工とは別に支持鉄筋の施工をする工程が削減される。また、補強鉄筋１１の余剰部分１１ａによって支持鉄筋を構成しながら、余剰部分１１ａ以外の補強鉄筋１１の残余の部分によって裏込めコンクリート３の一体化が図れる。この結果、壁面１を迅速にかつ安価にしかも堅固に構築することが可能な壁面構築方法を、壁面１の各施工現場に合った方法で提供することが可能になる。
【００７２】
なお、上記の一実施形態による壁面構築方法および他の実施形態による壁面構築方法では、下層の裏込めコンクリート３が打設された翌日、パネル２を転倒防止部材４によって転倒を防止して積み上げ、下層の裏込めコンクリート３上に上層の裏込めコンクリートを打設する場合について説明した。しかし、前述したように、下層の裏込めコンクリート３の表面に余剰部分１１ａを突出させる補強鉄筋１１は、下端側が、古い上層の裏込めコンクリート３に埋設されて、古い上層の裏込めコンクリート３によって固定されている。このため、下層の裏込めコンクリート３が打設された直後に、パネル２を転倒防止部材４によって転倒を防止して積み上げるようにしてもよい。
【００７３】
このような壁面構築順によれば、壁面１の敷設延長長さが１０ｍ〜２０ｍ程度の短い場合、１日に、上層と下層との２層分についての裏込めコンクリート３を打ち重ねることができる。例えば、下層の裏込めコンクリート３を早朝に打設した後、直ちにパネル２を積み上げ、転倒防止部材４を取り付けて転倒を防止し、例えば午後３時頃まで下層の裏込めコンクリート３の養生時間を取る。その後、その当日に、上層の裏込めコンクリート３を打設して、その後、直ちにパネル２を積み上げ、転倒防止部材４を取り付けて転倒を防止する。翌日、同様な作業工程を繰り返していくことで、１日当たり２層分の裏込めコンクリート３を打ち重ねることができ、迅速に壁面１を上方向に構築することができる。
【００７４】
したがって、壁面１の敷設延長長さが短く、直ぐに１０ｍ〜２０ｍ程度の敷設延長長さに１層分の壁面１の施工が終わってしまい、その日の作業時間が余って作業ロスが生じてしまう場合などに、極めて有効な壁面構築順となる。また、壁面１を迅速に上方向に構築する必要がある場合、例えば、法面等の地山に擁壁を構築する現場で、掘削した不安定な法面が降雨などで崩壊するリスクがある場合などに、上記の施工順で１日当たり２層分の裏込めコンクリートを打ち重ねることで、壁面１を必要な高さまで迅速に構築してリスクを低減させたりすることができる。なお、１日当たり２層分を構築する上記の施工において、硬化が早い早強コンクリートを裏込めコンクリート３に使用することで、裏込めコンクリート３の養生が短時間でより確実に行えるようになる。
【００７５】
また、裏込めコンクリート３が打設された直後に、パネル２を転倒防止部材４によって転倒を防止して積み上げ、その日のうちにパネル２の設置を済ませて作業工程をできる限り進めておくことで、翌日の作業に余裕をとって他の作業を入れることなども可能になる。
【００７６】
また、上記の一実施形態による壁面構築方法および他の実施形態による壁面構築方法は、壁面１の敷設延長長さが１００ｍ程度あり、１層分の壁面１の施工に２日かかるような現場において、迅速に壁面１を上方向に構築する必要がある場合、例えば、上記のように法面等の地山に擁壁を構築する現場で、掘削した不安定な法面が降雨などで崩壊するリスクがある場合などにも、有効となる。
【００７７】
つまり、壁面１の敷設延長長さが１００ｍ程度あって長い場合、通常は、裏込めコンクリート３の１層目の最初の５０ｍ分を１日目、残りの１層目の５０ｍ分を２日目、２層目の最初の５０ｍ分を３日目、残りの２層目の５０ｍ分を４日目と施工して行くところ、上記のように迅速に壁面１を上方向に構築する必要がある場合には、裏込めコンクリート３の１層目の最初の５０ｍ分を１日目に構築した翌日の２日目に、２層目の最初の５０ｍ分を１層目の上に構築し、２層目を構築した翌日の３日目に、３層目の最初の５０ｍ分を２層目の上に構築する、というように層を連日積み重ねて、必要高さまで迅速に上方向に壁面１を構築することができる。１００ｍの残りの５０ｍ分の構築は、必要高さまで最初の５０ｍ分を構築した後に行うことで、上記の崩壊リスクを低減させることができる。
【００７８】
このように上記の一実施形態による壁面構築方法および他の実施形態による壁面構築方法は、各現場の施工条件や施工長等に合わせて適宜１日の施工順を選択することで、作業ロスを低減して効率よく迅速に壁面１を構築することができる。
【００７９】
また、上記の各実施形態による壁面構築方法および壁面構造では、１段分のパネル２の背後に１層分の裏込めコンクリート３を設ける場合について説明したが、次のように、２段分のパネル２の背後に１層分の裏込めコンクリート３を設けるように構成することもできる。つまり、パネル２の背後の裏込めコンクリート３の層の厚さが厚くなる、高い高さの壁面１においては、パネル２から補強鉄筋１１の余剰部分１１ａまでの距離が長くなる。したがって、余剰部分１１ａとパネル２の背後の寸切りボルト７との間を連結する転倒防止部材４の傾斜角は緩くなる。このため、パネル２を２段設置する毎に、下段のパネル２の背後の空間において裏込めコンクリート３の層の表面から突出する余剰部分１１ａと、下段および上段の各パネル２の背後の寸切りボルト７との間に転倒防止部材４を連結させても、各転倒防止部材４が裏込めコンクリート３の層の表面と成す角度は鋭角に保たれる。つまり、各転倒防止部材４は、のけぞることなく、下段および上段の各パネル２からかかる荷重を受け止め、また、背後からの裏込めコンクリート３の側圧によって下段および上段の各パネル２から引っ張られる引張り力を余剰部分１１ａに伝えて、下段および上段の各パネル２の転倒を防止することができる。
【００８０】
よって、パネル２を２段積み上げる毎に、２段分のパネル２について転倒を防止する転倒防止部材４を取り付け、それら２段分のパネル２の背後に１層分の裏込めコンクリート３を打設して行くことで、パネル２を多段に積み上げながらパネル２の背面に順次裏込めコンクリート３を複数層形成して、壁面１を構築することができる。この場合においても、補強鉄筋１１の長さを、２層分の裏込めコンクリート３より所定長の余剰部分１１ａだけ長い長さに設定することで、下層の裏込めコンクリート３の表面に余剰部分１１ａを突出させる補強鉄筋１１は、下層の裏込めコンクリート３に上端側、下層の裏込めコンクリート３のさらに下層にある、前日に打設された古い上層の裏込めコンクリート３に下端側が埋設されて固定される。したがって、このような構成によっても、上記の各実施形態による壁面構築方法および壁面構造と同様な作用効果が奏される。
【産業上の利用可能性】
【００８１】
上記の各実施形態による壁面構築方法および壁面構造は、擁壁に適用したり、ダムにおける砂や水の堰き止め壁などに適用することができる。
【符号の説明】
【００８２】
１…壁面、２…パネル、３…裏込めコンクリート、３ａ，３ｂ，３ｃ，３ｄ…層、４…転倒防止部材、５，６…連結部材、７…寸切りボルト、８…ナット、９…調整ボルト、１１（１１１，１１２，１１３，１１４）…補強鉄筋、１１ａ…余剰部分、１２…基礎ブロック、１３…アンカーボルト、１４…アンカー鉄筋、１４ａ…余剰部分、１５…結束筋、２０…引き抜き型枠
【図１】
2020090865.tif 000003
【図２】
2020090865.tif 000004
【図３】
2020090865.tif 000005
【図４】
2020090865.tif 000006
【図５】
2020090865.tif 000007
【図６】
2020090865.tif 000008
【図７】
2020090865.tif 000009